(57)【要約】【課題】  要求される荷重分散を簡易な構成により実現する搬送用パレットを提供する。【解決手段】  平面視で矩形形状をもつ台座部材Ａと、台座部材の上に設けられ、ロール状荷物ＣＬをロール状荷物の軸方向に沿って両側から支持するための一組の支持部材Ｂ１，Ｂ２と、台座部材の四隅にそれぞれ設けられた柱部材Ｄ１〜Ｄ４と、柱部材に接続されてそれぞれ設けられるロール状荷物の軸方向に直交する方向に対向して配設された一組の桟状の剛性部材Ｅ１，Ｅ２を有するロール状荷物の搬送用パレット。【選択図】図１
2015113161.tif 000002
【特許請求の範囲】
【請求項１】
平面視で矩形形状をもつ台座部材と、
前記台座部材の上に設けられ、ロール状荷物を前記ロール状荷物の軸方向に沿って両側から支持するための一組の支持部材と、
前記台座部材の四隅にそれぞれ設けられた柱部材と、
前記柱部材に接続されてそれぞれ設けられる、前記ロール状荷物の軸方向と直交する方向に対向して配設された一組の桟状の剛性部材と、
を具備することを特徴とするロール状荷物の搬送用パレット。
【請求項２】
前記請求項１に記載された搬送用パレットであって、
前記台座部材の上であって前記支持部材の外側にそれぞれ設けられ、前記ロール状荷物を固定するためのベルトが取り付けられるフックを更に有することを特徴とする搬送用パレット。
【請求項３】
前記請求項１乃至２のいずれかに記載された搬送用パレットであって、
前記台座部材、前記柱部材、前記剛性部材は、鉄を材料とすることを特徴とする搬送用パレット。
【請求項４】
前記請求項１乃至３のいずれかに記載された搬送用パレットであって、
前記柱部材の近傍にそれぞれ設けられ、当該搬送用パレットを搬送するための金具が挿入される孔を有する複数の治具を更に有することを特徴とする搬送用パレット。
【請求項５】
前記請求項１乃至４のいずれかに記載された搬送用パレットであって、
前記剛性部材は、前記台座部材の四辺の全ての辺において、前記柱部材に接続されてそれぞれ設けられることを特徴とする搬送用パレット。
【請求項６】
前記請求項１乃至５のいずれかに記載された搬送用パレットであって、
前記搬送用パレットを格納するコンテナの内寸に、略対応する外寸をもつことを特徴とする搬送用パレット。
【発明の詳細な説明】
【技術分野】
【０００１】
本発明は、ロール状荷物を搬送する搬送用パレットに関する。
【背景技術】
【０００２】
従来、複数のロールや巻芯等のロール状荷物をコンテナで搬送するという需要が存在する。ここで、ロール状荷物とは、一例として、光ファイバーケーブル、電線ケーブル、また、自動車鋼板用コイル等であるがこれらに限定されるものではない。
このようなロール状荷物をコンテナ等により搬送する場合は、パレットの上にロール状荷物の形状に合わせて木枠等を作成してロール状荷物を固定するという煩雑な作業が発生する。
【０００３】
このようなロール状荷物の搬送のための搬送用パレットの従来技術として、特許文献１は、Ｖ字の受面を有するＶ字状部材を備えた搬送用パレットを開示している。
【０００４】
同様に、特許文献２は、四角形状のパレット基体上に設けられた、径が異なる複数種類のドラムやロール状物に対して容易に対応する受け部を有している搬送用パレットを開示している。
【先行技術文献】
【特許文献】
【０００５】
【特許文献１】特許２９３２２２３号公報
【特許文献２】特開２０１３−６３７９２号公報
【発明の概要】
【発明が解決しようとする課題】
【０００６】
しかし、上述した搬送用パレットは、重量のある自動車鋼板用コイル等をコンテナで搬送する際に、荷重分散が十分なされないと、コンテナの床が損傷する等の不具合が発生する場合がある。このため、船会社から搬送用パレットの均等な荷重分散のレギュレーションが要求される場合がある。
これに対して、上述した従来技術である特許文献１の搬送用パレットは、剛性が不足する場合があり、船会社から要求される荷重分散を実現できない場合がある。
【０００７】
また、上述した特許文献２の搬送用パレットについても、同様に、船会社から要求される搬送用パレットの均等な荷重分散を実現するための剛性が不足する場合があり、従って、運賃の高い特殊コンテナ（フラットラックコンテナ）等の利用が必要となる場合がある。
また、木材によるスキッド等をそのつど準備すると、コストがかかり再利用できないため、環境によい影響を与えない場合がある。
【０００８】
本発明は、重量のある自動車鋼板用コイル等を安全かつ効率的に海上コンテナにて搬送するための搬送用パレットを提供することを目的とする。
【課題を解決するための手段】
【０００９】
上記の課題を解決するために、本発明に係る搬送用パレットは、平面視で矩形形状をもつ台座部材と、前記台座部材の上に設けられ、ロール状荷物を前記ロール状荷物の軸方向に沿って両側から支持するための一組の支持部材と、前記台座部材の四隅にそれぞれ設けられた柱部材と、前記柱部材に接続されてそれぞれ設けられる、前記ロール状荷物の軸方向に直交する方向に対向して配設された一組の桟状の剛性部材と、を具備することを特徴とする。
【発明の効果】
【００１０】
本発明によれば、簡易な構成により剛性を向上させ、船会社から要求される荷重分散等のレギュレーションを順守する搬送用パレットを提供することができる。
【図面の簡単な説明】
【００１１】
【図１】本発明の第１の実施形態に係る搬送用パレットの一例を示す斜視図。
【図２】同搬送用パレットを構成する台座部材の一例を示す平面図。
【図３】同搬送用パレットを構成する台座部材、支持部材、ラッシングベルト用フック、段積み用部材、桟の一例を示す平面図。
【図４】同搬送用パレットを複数格納するコンテナの一例を示す斜視図。
【図５】同コンテナの底部のメンバー部材の構成の一例を示す斜視図の一例を示す説明図。
【図６】本発明の第２の実施形態に係る搬送用パレットの一例を示す斜視図。
【発明を実施するための形態】
【００１２】
以下、本発明に係わる実施形態について、図を引用して詳細に説明する。
〔第１実施形態〕
（構成）
図１は、本発明の第１の実施形態に係る搬送用パレットの一例を示す斜視図、図２は、同搬送用パレットを構成する台座部材の一例を示す平面図、図３は、同搬送用パレットを構成する台座部材、支持部材、ラッシングベルト用フック、段積み用部材、桟の一例を示す平面図、図４は、同搬送用パレットを複数格納するコンテナの一例を示す斜視図である。
【００１３】
本発明の第１の実施形態に係る搬送用パレットＰは、図１に示すように、コンテナの幅方向の複数の枠体部材と、コンテナの奥行き方向の複数の枠体部材が組み合された平面視で矩形形状の台座部材Ａと、上記した台座部材の上に設けられ、ロール状荷物ＣＬをロール状荷物ＣＬの軸に沿って両側から支持するための一組の支持部材Ｂ１，Ｂ２と、台座部材の上であって支持部材の外側にそれぞれ設けられ、ロール状荷物を固定させるためのベルトが取り付けられるフックＣ１〜Ｃ１０を有している。
【００１４】
また、搬送用パレットＰは、上記台座部材の四隅にそれぞれ設けられた、当該搬送用パレットを段積みするための柱部材Ｄ１〜Ｄ４と、上記の台座部材の四辺の内の向かい合う二辺に、柱部材に接続されてそれぞれ設けられる桟状の剛性部材Ｅ１，Ｅ２と、上記柱部材の近傍にそれぞれ設けられた当該搬送用パレットＰを搬送するために金具が挿入される複数の治具Ｆ１〜Ｆ４を有している。
これらの構成物の材質は、一例として鉄やアルミ合金等からなる金属、具体的には形鋼等の構造用部材であるがこれに限定されない。
【００１５】
ここで、図２（ａ）は、搬送用パレットＰの台座部材Ａの平面図、図２（ｂ）は、正面図、図２（ｃ）は、側面図である。
搬送用パレットＰの台座部材Ａに注目すると、図２に示すように、コンテナの奥行き方向（図面の縦方向）については、複数の主枠体部材１１〜１７および複数の副枠体部材１８〜２１から成っている。これらの部材の材質は、一例として鉄やアルミ合金等からなる金属、具体的には形鋼等の構造用部材であるがこれに限定されない。
【００１６】
すなわち、台座部材Ａのコンテナの奥行き方向（図面の縦方向）の複数の主枠体部材については、図２の（ｂ）に示されるように、主枠体部材１１，１３，１４，１５，１７の５本が主たるものとして等間隔に配置されている。さらに、主枠体部材１２，１６が、主枠体部材１１，１３および主枠体部材１５，１７の間にそれぞれ設けられている。
この５本の等間隔の主枠体部材１１，１３，１４，１５，１７により、海上コンテナの床面にかかる荷重を確実に分散することができるが、この本数に限定されない。
【００１７】
さらに、図２の（ｂ）に示されるように、台座部材Ａの副枠体部材１８，１９が、主枠体部材３２，３３の間に、副枠体部材２０，２１が、主枠体部材３６，３７の間に、それぞれ設けられている。
【００１８】
また、台座部材Ａのコンテナの幅方向（図面の横方向）については、複数の主枠体部材３１〜３８の７本が等間隔に配置されている。さらに、台座部材Ａの副枠体部材３９〜４１が主枠体部材３１，３２の間に、副枠体部材４２〜４４が主枠体部材３７，３８の間に設けられている。
【００１９】
なお、後記する２０フィートコンテナに対応する大きさの搬送用パレットＰの台座部材Ａの大きさの一例は、幅が２１００ｍｍ、奥行きが１９００ｍｍであるが、これに限定されるものではない。
次に、図３を用いて、台座部材Ａと各構成物Ｂ〜Ｆ，ＣＬ，ＢＴとの関係を以下に詳細に説明する。
【００２０】
支持部材Ｂ１，Ｂ２は、図１および図３に示すように、円柱状すなわちロール状荷物ＣＬであるコイルを安定して支持するために設けられるもので、コイルの側面（曲面）を受け止めるための傾斜をもった羽根を有している。このとき、支持部材Ｂ１，Ｂ２は、ロール状荷物ＣＬの軸方向に沿って、ロール状荷物ＣＬを両側から支持する。支持部材Ｂ１，Ｂ２は、上記した台座部材Ａに、螺旋止めされる。
【００２１】
ここでロール状荷物ＣＬは、一例として、光ファイバーケーブル、電線ケーブル、また、ドラム等の自動車鋼板用コイル等を指しているがこれに限定されるものではない。
複数のフックＣ１〜Ｃ５，Ｃ６〜Ｃ１０は、フック台Ｃα、Ｃβの上にそれぞれ形成され、フック台Ｃα、Ｃβは、台座部材Ａに取り付けられる。複数のフックＣ１〜Ｃ５，Ｃ６〜Ｃ１０には、図３（ｃ）に示されるように支持部材Ｂ１，Ｂ２上のロール状荷物ＣＬを固定させるためのラッシングベルトＢＴが取り付けられる。
【００２２】
柱部材Ｄ１〜Ｄ４は、台座部材Ａの四隅にそれぞれ設けられ、当該搬送用パレットＰを段積みするために、複数の搬送用パレットＰの間に適切な間隔を形成する。
これにより、下記の２０フィートコンテナにおいて、６段積みまでの積載が可能であり、この結果、１８枚の搬送用パレットＰの積載が可能となる。すなわち、リターナブル（日本と海外間の往復輸送）な輸送を行う場合、帰りの搬送用パレットＰの積載機能は必須の条件となる。
【００２３】
剛性部材Ｅ１，Ｅ２は、図１および図２に示されるように桟状の部材であって、当該搬送用パレットＰの剛性を向上させるために、台座部材Ａの四辺の内の向かい合う二辺、即ち、柱部材Ｄ１、Ｄ２の間および柱部材Ｄ３、Ｄ４の間に設けられる。剛性部材Ｅ１，Ｅ２は、一例として、主枠体部材１１，１７と剛性部材Ｅ１，Ｅ２の間に設けられた補助支柱ＥＰ１、ＥＰ２、ＥＰ３、ＥＰ４、ＥＰ５、ＥＰ６により補強されている。剛性部材Ｅ１，Ｅ２の材質は、一例として鉄やアルミ合金等からなる金属、具体的には形鋼等の構造用部材であるがこれに限定されない。
【００２４】
なお、剛性部材Ｅ１，Ｅ２の方向は、上記したロール状荷物ＣＬの軸方向とは垂直に交差する方向をもっている。このような方向の剛性部材Ｅ１，Ｅ２を設けることで、上記したロール状荷物ＣＬの軸方向とは垂直に交差する方向に剛性を向上することで、ロール状荷物ＣＬの荷重を均等に分散することができる。
即ち、ロール状荷物ＣＬの荷重のばらつきは、ロール状荷物ＣＬの軸方向には生じにくく、ロール状荷物ＣＬの軸方向と垂直方向に生じやすいためであり、下記の荷重分散を調べた場合おいても、上記したロール状荷物ＣＬの軸方向と垂直方向の剛性を向上させる対策が必要とされている。
【００２５】
治具Ｆ１〜Ｆ４は、当該搬送用パレットＰを搬送するための金具であって、ワイヤーやロープを通す孔が設けられており、ワイヤーやロープにより、コンテナ内の搬送用パレットＰを引きずり出す。このとき、フォークリフトは車体が大きくコンテナ内に入ることができないため、ワイヤーやロープを利用して、コンテナ内の搬送用パレットＰを移動する。
【００２６】
次に、当該搬送用パレットＰをコンテナＣＮに格納した図を、図４を用いて詳細に説明する。搬送用パレットＰは、搬送用パレットＰを格納するコンテナの内寸に、略対応する外寸をもつものである。コンテナＣＮは、一例として、２０フィートのドライコンテナであり、規格の一例として、外寸が、高さ２５９１ｍｍ、幅２４３８ｍｍ、長さ６０５８ｍｍである。
【００２７】
一方、搬送用パレットＰは、このコンテナＣＮの内寸に略対応する外寸をもっており、規格の一例として、幅２１００ｍｍ、奥行き１９００ｍｍであり、図４に示すように、このコンテナＣＮ内に３つの搬送用パレットＰ１，Ｐ２，Ｐ３が格納され、３つのロール状荷物ＣＬ１，ＣＬ２，ＣＬ３を搬送することができる。なお、搬送用パレットＰの外寸は、この大きさに限定されるものではない。
【００２８】
（荷重分散）
次に、搬送用パレットＰの荷重分散について、以下に説明する。
図５は、コンテナの底部のメンバー部材の構成の一例を示す斜視図である。
【００２９】
図５は、コンテナＣＮの底部のメンバー部材の構成を示している。一例として、メンバー部材は、図５に示すように、コンテナＣＮの奥行き方向のサイドメンバー部材１００−１，１００−２と、コンテナＣＮの幅方向のクロスメンバー部材１０１−１，１０１−２〜１０１−１１とから成っているが、これに限定されるものではない。
【００３０】
また、次に、搬送用パレットＰのコンテナＣＮの床部への荷重分散の程度を調べた例を説明する。
ここで、クロスメンバー部材の強度には限界があり、一つの部材に集中して荷重がかかることにより、クロスメンバー部材は変形または損傷する場合がある。
搬送用パレットＰの剛性が低い場合、搬送用パレットＰの台座部材Ａの枠体部材が均等にならず歪みが生じてしまい、この歪みの結果、一つの部材の一箇所に搬送用パレットＰの荷重が集中してしまう結果、クロスメンバー部材が変形または損傷する場合がある。
【００３１】
・荷重分散について
図５において、一つの搬送用パレットＰがクロスメンバー部材に与える荷重分布を知るべく、荷重分散の程度を調べた。
【００３２】
はじめに、図５において、４つのクロスメンバー部材１０１−２、１０１−３、１０１−４、１０１−５に係る荷重分布の理想値は、Ｘ１，Ｘ２，Ｘ３，Ｘ４において、完全に均等となっている荷重分布が望ましい。
【００３３】
しかし、従来の剛性が低い搬送用パレットＰにおける荷重分布においては、搬送用パレットＰがたわむことにより、例えば、一つのクロスメンバー部材１０１−２のＸ２のみに、大きな荷重がかかって、変形または損傷する可能性がある場合がある。
【００３４】
このような場合、船会社から要求されるレギュレーションに叶うことができずに、クロスメンバー部材が変形または損傷の怖れがあるとして、その搬送用パレットの使用を禁止されることがある。
【００３５】
一方、第１の実施形態で示されるように、図１乃至図３で特定される剛性部材Ｅ１，Ｅ２を用いることで、搬送用パレットＰの剛性が向上することにより、４つのクロスメンバー部材１０１−２、１０１−３、１０１−４、１０１−５の特定の一つに荷重が集中することを回避することができる。
これにより、クロスメンバー部材が、荷重により変形または損傷することはない。
【００３６】
なお、ここで、上記したコンテナの底部のクロスメンバー部材の方向は、搬送用パレットＰに設けられた剛性部材Ｅ１，Ｅ２の方向と直交する関係にあることに注目されたい。
この方向の関係により、剛性部材Ｅ１，Ｅ２によりクロスメンバー部材の方向と直交する方向の搬送用パレットＰの剛性を向上させることにより、複数のクロスメンバー部材に対する荷重の分布を均一にすることが可能となる。
このように、本発明に係る搬送用パレットＰにおいては、簡易な構成である剛性部材Ｅ１，Ｅ２により、効率的に搬送用パレットＰの荷重分散を可能としている。
【００３７】
以上のように、本発明の第１の実施形態に係る搬送用パレットＰによれば、一方向だけの剛性部材Ｅ１，Ｅ２を設けるという簡易な構成で、搬送用パレットＰに必要な剛性を向上させることができるため、船会社から要求される荷重分散等のレギュレーションを順守する搬送用パレットを提供することができる。
【００３８】
〔第２実施形態〕
第２実施形態は、剛性部材Ｅ１，Ｅ２に加えて、残りの向かい合う辺に剛性部材Ｅ３，Ｅ４を追加したことを設けたことを特徴とする。図６は、本発明の第２の実施形態に係る搬送用パレットの一例を示す斜視図である。図１と共通した構成は説明を省略し、異なる構成のみを以下に詳細に説明する。
【００３９】
第２実施形態に係る搬送用パレットＰは、図６に示すように、剛性部材Ｅ１，Ｅ２に加えて、剛性部材Ｅ１，Ｅ２が設けられた辺と隣り合う辺において、当該搬送用パレットＰの剛性をさらに向上させるために、剛性部材Ｅ３，Ｅ４を柱部材Ｄ１、Ｄ３の間および柱部材Ｄ２、Ｄ４の間に設けられる。
【００４０】
剛性部材Ｅ３，Ｅ４は、一例として、主枠体部材３１，３８と剛性部材Ｅ３，Ｅ４の間に設けられた補助支柱ＥＰ７、ＥＰ８、ＥＰ９、ＥＰ１０、ＥＰ１１、ＥＰ１２により補強されている。剛性部材Ｅ３，Ｅ４の材質は、一例として、鉄やアルミ合金等からなる金属、具体的には形鋼等の構造用部材であるがこれに限定されない。
【００４１】
第２実施形態に係る搬送用パレットＰにおいては、剛性部材Ｅ１，Ｅ２に加えて剛性部材Ｅ３，Ｅ４を設けることにより、さらに剛性を向上させることによって、搬送用パレットＰの均等な荷重分散を可能にすることにより、船会社から要求される荷重分散のレギュレーションを簡易な構成により実現するものである。
【００４２】
以上、本発明について実施形態に基づいて説明したが、本発明は上記した実施形態に限定されるものではなく、様々な変形例が含まれる。
例えば、上記した実施形態は本発明を分かりやすく説明するために詳細に説明したものであり、必ずしも説明した全ての構成を備えるものに限定されるものではない。また、一方の実施形態の構成の一部を他方の実施形態の構成に置き換えることが可能であり、また、一方の実施形態の構成に他方の実施形態の構成を加えることも可能である。
【符号の説明】
【００４３】
Ｐ…搬送用パレット
Ａ…台座部材
Ｂ１、Ｂ２…支持部材
Ｃ１〜Ｃ１０…フック
Ｃα、Ｃβ…フック台
Ｄ１〜Ｄ４…柱部材
Ｅ１〜Ｅ４…剛性部材
ＥＰ１〜ＥＰ６…補助支柱
Ｆ１〜Ｆ４…治具
ＣＮ…コンテナ
１１〜１７…主枠体部材
１８〜２１…副枠体部材
３１〜３８…主枠体部材
３９〜４４…副枠体部材
１００…サイドメンバー部材
１０１…クロスメンバー部材
【図１】
2015113161.tif 000003
【図２】
2015113161.tif 000004
【図３】
2015113161.tif 000005
【図４】
2015113161.tif 000006
【図５】
2015113161.tif 000007
【図６】
2015113161.tif 000008